(57)【要約】  本発明は、円錐形スリットで分割されたスカート又は外側フランジ（２）を有する本体（１）を備える、好ましくは金属又は他の任意の種類の適したプラスチック材料で作られたガラスボトルの蓋であって、前記フランジ（２）が、前記蓋の軸を横断し、前記フランジ（２）の周囲に延び、封止すべき前記ボトルのネック（３）のリップ（４）の外面にぴったりと嵌まるように設計された複数の縦方向円錐形スリットを備え、前記本体（１）には、同心Ｖ字形環状リブ（５）が設けられ、前記同心Ｖ字形環状リブ（５）が、前記ボトルの前記ネック（３）の口の内側輪郭にぴったりと嵌まり、前記同心Ｖ字形環状リブ（５）がライナー（７）を有し、前記リブ（５）が上向きドーム形表面（６）を画定することを特徴とする、ガラスボトルの蓋に関する。【選択図】なし
2013535381.tif 000002
【特許請求の範囲】
【請求項１】
円錐形スリットで分割されたスカート又は外側フランジ（２）を有する本体（１）を備える、好ましくは金属又は他の任意の種類の適したプラスチック材料で作られたガラスボトルの蓋であって、前記フランジ（２）が、前記蓋の軸を横断し、前記フランジ（２）の周囲に延び、封止すべき前記ボトルのネック（３）のリップ（４）の外面にぴったりと嵌まるように設計された複数の縦方向円錐形スリットを備え、前記本体（１）には、同心Ｖ字形環状リブ（５）が設けられ、前記同心Ｖ字形環状リブ（５）が、前記ボトルの前記ネック（３）の口の内側輪郭にぴったりと嵌まり、前記同心Ｖ字形環状リブ（５）がライナー（７）を有し、前記リブ（５）が上向きドーム形表面（６）を画定することを特徴とする、ガラスボトルの蓋。
【請求項２】
前記円錐形スリットが、前記フランジ（２）の下部から前記フランジ（２）の上部及び前記本体（１）との取り付け部分に向かって低減する幅を有することを特徴とする、請求項１に記載のガラスボトルの蓋。
【発明の詳細な説明】
【技術分野】
【０００１】
本発明の主な目的は、好ましくは金属又は他の任意の種類の適したプラスチック材料で作られたガラスボトルの蓋であり、この蓋は、ボトルのネックの口の内側輪郭にぴったりと嵌まり、そして、圧力が掛けられて上記蓋の開封に役立つ上向きのドーム形表面を有するＶ字形のリブを有するという特徴を有する。
【背景技術】
【０００２】
現在、好ましくは、液体清涼飲料等を収容するために使用されるガラスボトルの多種多様な蓋及び／又はキャップがある。
【０００３】
ハーメチック封止に最良の結果を提供する最も一般的なキャップの中でも、「王冠」キャップと呼ばれるものであり、これは通常、シートメタルから作られ、ボトルの口に対応するリップの外側輪郭に適合され、この適合は、ボトルのリップ又は口に適用された場合、蓋自体に対して作られるひだにより行われる。
【０００４】
この種の「王冠」キャップは、まさにボトルの口に対応するリップの下側部分の周囲を包むひだにより、開封できるようにする手での処理を実行できないため、キャップをボトルから取り外すために、器具又はオープナーを必要とする。
【０００５】
ボトルのネックにねじ切りすることにより結合されるキャップ又は蓋もあり、これは明らかに、キャップ又は蓋にねじを形成し、ボトル又はボトルのネックの口に別のねじを形成する必要がある。
【０００６】
ボトルのネックに結合され、リングを通して上記口に保持固定されるキャップ又は蓋もあり、開くにはリングを引っ張る必要があり、これは簡単ではなく、大半の場合、これもまた適した器具を必要とする。
【発明の概要】
【発明が解決しようとする課題】
【０００７】
したがって、周囲にひだのない王冠キャップの形態の本体に基づく最新技術の改良として考案された、可能な限り簡単な開封に役立つガラスボトルの蓋が望ましい。
【課題を解決するための手段】
【０００８】
上述した問題を軽減するために、本明細書の目的である「ボトルの蓋」が提示され、この蓋は、周囲にひだのない王冠キャップの形態の本体を提案し、本体には、同心の上向きＶ字形環状リブが設けられ、上記Ｖ字形リブが、上向きドーム円形表面を画定し、その表面が、一点で、蓋を押して開ける手段を形成すること、特に、縦方向に分割されたフランジを折り返して、開封を容易にすることを特徴とする。
【０００９】
本体は、ボトルの口の対応するリップに結合され、リップに適合し、蓋に対して本体の周囲セクタ及び外側セクタにより固定保持され、その間、ハーメチック封止が、ライナーが設けられた同心環状リブ自体により形成され、ライナーは、ボトルの口自体の内側輪郭にぴったりと嵌まり、ボトルの完全な封止を達成する。
【００１０】
したがって、蓋は、単に上面を押すだけで上記ボトルを開くことができるように、完全に封止固定され、効率的にボトルを閉じ、上面を押すことにより、Ｖ字形リブが変形し、円錐形スリットにより縦方向に分割され、軸を横断して位置決めされた外側フランジが続けて折り返され、ボトルの口のリップから分離され、したがって、蓋は上記ボトルから自由になり、上記分離はリブのスリットにより促進される。
【００１１】
好ましい実際の実施形態では、蓋は、等しい機械的特徴の金属又はプラスチックの本体を備える。
【００１２】
本発明をよりよく理解できるように、本発明の非限定的な例として提示される上記発明の実施形態に明らかに関連する一連の図面について、以下において非常に簡潔に説明する。
【図面の簡単な説明】
【００１３】
【図１】閉位置にあるボトルのネック上の本発明において提案されるような蓋の図を示す。
【図１Ａ】本発明において提示される蓋の断面を示す。
【図２】開位置にある図１の蓋を示す。
【図２Ａ】開位置にある図１において提案される蓋の断面を示す。
【図３】本発明により提案される蓋の分離図を示す。
【図３Ａ】フランジの円錐形スリットの詳細を示す。
【発明を実施するための形態】
【００１４】
添付される図面に見られるように、本発明の蓋が、同様の機械的特性を有する他の種類の材料を放棄せずに、好ましくは金属で作られる本体（１）を備え、図１及び図２に示されるように、上記本体（１）が、分割されたスカート又は周囲フランジ（２）を有し、スカート又は周囲フランジ（２）が、ボトルのネック（３）の口のリップ（４）上のボトルの上記ネック（３）上の上記蓋の組立及び閉鎖に適合され、すべてが同心上向きに開放されたＶ字形環状リブ（５）を有する蓋の本体（１）に基づき、このリブが上向きドーム形環状エリア（６）を画定することを特徴とする。
【００１５】
Ｖ字形リブ（５）は、ネック（３）の口の内縁部に配置され、一方では、ボトルのネックのリップ（４）上に外側からぴったりと嵌まる円錐形スリットにより分割されたスカート又は下部フランジ（２）により、他方では、封止を提供し、そしてボトルの開封を助けるライナー（７）が設けられた結果として、封止された嵌め合いを形成し、環状エリア（６）は上向きのドーム形である。
【００１６】
他方、ボトルを開けるには、すなわち、本体（１）を自由にするには、環状エリア（６）のドームが、図２に示されるように下に押され、Ｖ字形リブ（５）を変形させて折り返させ、それに対応して蓋の本体（１）の分割スカート又は外側フランジ（２）を分離させて、ボトルのネック（３）から自由にする。
【００１７】
最後に、フランジ（２）のスリットが円錐形断面を有すること、すなわち、スリットの幅がフランジ（２）の下部からフランジ（２）の上部及び本体（１）との取り付け部分に向かって低減することを示さなければならない。
【図１】
2013535381.tif 000003
【図１Ａ】
2013535381.tif 000004
【図２】
2013535381.tif 000005
【図２Ａ】
2013535381.tif 000006
【図３】
2013535381.tif 000007
【図３Ａ】
2013535381.tif 000008
【国際調査報告】
2013535381.tif 000009
2013535381.tif 000010
2013535381.tif 000011
2013535381.tif 000012
2013535381.tif 000013
2013535381.tif 000014